(57)【要約】【課題】  ユーザにとって物を見やすい照明光に調整できる照明装置を提供する。【解決手段】    照明システムは、ヒトの見えに係る視機能としての視力、視野、コントラスト感度、立体視のうち少なくとも一つを選択する視機能選択部１と、視機能選択部１により選択された視機能の向上度合いを入力するレベル入力部２と、視機能選択部１により選択された各視機能と関連づけて各照明要素を設定する照明設定部３と、レベル入力部２により入力された視機能の向上度合いを実現する出力量だけ、照明設定部３により設定された照明要素を制御する照明制御部４と、照明制御部４によって制御された照明光を照射する照明部５とを備える。【選択図】      図１
2014099359.tif 000002
【特許請求の範囲】
【請求項１】
ヒトの見えに係る視機能としての視力、視野、コントラスト感度、立体視のうち少なくとも一つを選択する視機能選択手段と、
前記視機能選択手段により選択された視機能の向上度合いを入力する入力手段と、
前記視機能選択手段により選択された各視機能と関連づけて各照明要素を設定する照明設定手段と、
前記入力手段により入力された視機能の向上度合いを実現する出力量だけ、前記照明設定手段により設定された照明要素を制御する照明制御手段と、
前記照明制御手段によって制御された照明光を照射する照明手段と
を備えることを特徴とする照明システム。
【請求項２】
前記視機能選択手段により選択された視機能と前記入力手段で入力された向上度合いのうち、少なくとも１つを保存する保存手段を備え、
前記照明設定手段は、前記保存手段により保存された視機能を入力し、入力した視機能を用いて照明要素を設定し、前記照明制御手段は、前記保存手段により保存された向上度合いを入力し、入力した向上度合いを用いて前記照明要素の出力量を制御すること
を特徴とする請求項１に記載の照明システム。
【請求項３】
ユーザの年齢を入力する年齢入力手段と、
前記年齢入力手段により入力された年齢による視機能の変化に対応するよう前記照明制御手段により制御される前記照明要素の出力量を調整する調整手段と
を備えることを特徴とする請求項１又は請求項２に記載の照明システム。
【請求項４】
ユーザを設定するユーザ設定手段と、
前記ユーザ設定手段により設定されたユーザを検知するユーザ検知手段と、
前記ユーザ検知手段により複数のユーザが検知された場合におけるユーザの優先順位を設定するユーザ順位設定手段とを備え、
前記保存手段は、前記保存している視機能及び／又は向上度合いを、前記ユーザ設定手段により設定されたユーザに対応付け、
前記照明設定手段は、前記優先順位の高いユーザに対応した前記保存手段により保存された視機能を入力し、入力した視機能を用いて照明要素を設定し、前記照明制御手段は、前記優先順位の高いユーザに対応した前記保存手段により保存された向上度合いを入力し、入力した向上度合いを用いて前記照明要素の出力量を制御すること
を特徴する請求項２又は請求項３に記載の照明システム。
【請求項５】
前記視機能選択手段、前記入力手段、前記照明設定手段、前記照明制御手段を情報端末に備え、前記照明手段を前記情報端末により動作させることを特徴とする請求項１乃至請求項４の何れか一項に記載の照明システム。
【発明の詳細な説明】
【技術分野】
【０００１】
本発明は、照明機器を動作させる照明システムに関する。
【背景技術】
【０００２】
書物を読むときなどに照明灯の光量を自動的に制御する技術として、下記の特許文献１に記載されたものが知られている。
【先行技術文献】
【特許文献】
【０００３】
【特許文献１】実開平７−２７０９３号公報
【発明の概要】
【発明が解決しようとする課題】
【０００４】
しかしながら、特許文献１に記載された技術では、個々のユーザにとって見たい物が見えやすい光で照明をしているとはいえなかった。
【０００５】
そこで、本発明は、上述した実情に鑑みて提案されたものであり、ユーザにとって物を見やすい照明光に調整できる照明装置を提供することを目的とする。
【課題を解決するための手段】
【０００６】
本発明の第１の態様に係る照明システムは、ヒトの見えに係る視機能としての視力、視野、コントラスト感度、立体視のうち少なくとも一つを選択する視機能選択手段と、前記視機能選択手段により選択された視機能の向上度合いを入力する入力手段と、前記視機能選択手段により選択された各視機能と関連づけて各照明要素を設定する照明設定手段と、前記レベル入力手段により入力された視機能の向上度合いを実現する出力量だけ、前記照明設定手段により設定された照明要素を制御する照明制御手段と、前記照明制御手段によって制御された照明光を照射する照明手段とを備えることを特徴とする。
【０００７】
本発明の第２の態様に係る照明システムは、上記第１の態様の照明システムであって、前記視機能選択手段により選択された視機能と前記入力手段で入力された向上度合いのうち、少なくとも１つを保存する保存手段を備え、前記照明設定手段は、前記保存手段により保存された視機能を入力し、入力した視機能を用いて照明要素を設定し、前記照明制御手段は、前記保存手段により保存された向上度合いを入力し、入力した向上度合いを用いて前記照明要素の出力量を制御することを特徴とする。
【０００８】
本発明の第３の態様に係る照明システムは、上記第１又は第２の態様の照明システムであって、ユーザの年齢を入力する年齢入力手段と、前記年齢入力手段により入力された年齢による視機能の変化に対応するよう前記照明制御手段により制御される前記照明要素の出力量を調整する調整手段とを備えることを特徴とする。
【０００９】
本発明の第４の態様に係る照明システムは、上記第２又は第３の態様の照明システムであって、ユーザを設定するユーザ設定手段と、前記ユーザ設定手段により設定されたユーザを検知するユーザ検知手段と、前記ユーザ検知手段により複数のユーザが検知された場合におけるユーザの優先順位を設定するユーザ順位設定手段とを備え、前記保存手段は、前記保存している視機能及び／又は向上度合いを、前記ユーザ設定手段により設定されたユーザに対応付け、前記照明設定手段は、前記優先順位の高いユーザに対応した前記保存手段により保存された視機能を入力し、入力した視機能を用いて照明要素を設定し、前記照明制御手段は、前記優先順位の高いユーザに対応した前記保存手段により保存された向上度合いを入力し、入力した向上度合いを用いて前記照明要素の出力量を制御することを特徴とする。
【００１０】
本発明の第５の態様に係る照明システムは、上記第１乃至第４の態様の照明システムであって、前記視機能選択手段、前記入力手段、前記照明設定手段、前記照明制御手段を情報端末に備え、前記照明手段を前記情報端末により動作させることを特徴とする。
【発明の効果】
【００１１】
本発明によれば、視機能及び向上度合いが入力された場合に、視機能に関連づけられた照明要素の出力量を制御するので、ユーザごとに異なる見え方や照明の用途などに応じて、ユーザにとって物を見やすい照明光に調整できる。
【図面の簡単な説明】
【００１２】
【図１】本発明の実施形態として示す照明システムの構成を示すブロック図である。
【図２】本発明の実施形態として示す照明システムにおける視機能と照明要素との関係を示す図である。
【図３】本発明の実施形態として示す照明システムにおける他の構成を示すブロック図である。
【図４】本発明の実施形態として示す照明システムにおける他の構成を示すブロック図である。
【図５】本発明の実施形態として示す照明システムにおける他の構成を示すブロック図である。
【図６】本発明の実施形態として示す照明システムにおける他の構成を示すブロック図である。
【発明を実施するための形態】
【００１３】
以下、本発明の実施の形態について図面を参照して説明する。
【００１４】
本発明の実施形態として示す照明システムは、例えば図１に示すように構成される。この照明システムは、視機能選択部（視機能選択手段）１、レベル入力部（入力手段）２、照明設定部（照明設定手段）３、照明制御部（照明制御手段）４、照明部（照明手段）５を含む。
【００１５】
視機能選択部１は、ヒトの見えに係る視機能としての視力、視野、コントラスト感度、立体視のうち少なくとも一つを選択する。なお、この視機能は、視力、視野、コントラスト感度、立体視に限らない。すなわち、視機能は、ヒトの見えに係る機能であればよい。視機能選択部１は、単一の視機能を選択してもよく、複数の視機能を選択してもよい。視機能選択部１は、ユーザが操作するボタン等の入力操作を受け付ける。このボタン等は、ユーザが向上させたいことを望む視機能が選択可能となっていればよい。視機能選択部１は、操作内容に応じて視力、視野、コントラスト感度、立体視のうち少なくとも一つが選択されたことを判断する。また、視機能選択部１は、ボタン等の操作デバイスに限るものではない。
【００１６】
レベル入力部２は、視機能選択部１により選択された各視機能の向上度合いを入力する。レベル入力部２は、視機能選択部１によって選択された各視機能について、その向上度合いを入力する。レベル入力部２は、ユーザが操作する方向キーやボタン等の入力操作を受け付ける。この方向キーやボタン等は、各視機能の向上度合いが入力可能となっていればよい。
【００１７】
照明設定部３は、視機能選択部１により選択された各視機能を示す情報を取得する。照明設定部３は、視機能選択部１により選択された視機能と関連づけて照明要素を設定する。これにより、照明設定部３は、選択された各視機能を向上させるための照明要素を設定する。この照明要素は、照度、 照射範囲、色温度、光の均一性等が含まれる。なお、照明要素としては、照明光を特定することができる要素であれば他の要素であってもよいことは勿論である。なお、照明設定部３は、図２に示すように、各視機能と各照明要素とを対応づけたテーブルデータを参照してもよい。
【００１８】
選択された視機能が視力である場合、照明設定部３は、照明要素として照度を設定する。選択された視機能が視野である場合、照明設定部３は、照明要素として照射範囲を設定する。選択された視機能がコントラスト感度である場合、照明設定部３は、照明要素として色温度を設定する。選択された視機能が立体視である場合、照明設定部３は、照明要素として光の均一性を設定する。
【００１９】
照明制御部４は、レベル入力部２により入力された視機能の向上度合いを実現する出力量だけ、視機能選択部１により設定された照明要素を制御する。選択された視機能が視力である場合、照明制御部４は、出力量としての照度を高めるよう制御する。選択された視機能が視野である場合、照明制御部４は、出力量としての照射範囲を広くするよう制御する。選択された視機能がコントラスト感度である場合、照明制御部４は、出力量としての色温度を上げるよう制御する。選択された視機能が立体視である場合、照明制御部４は、出力量として光の均一性を上げるよう制御する。なお、照明制御部４は、照明光の均一性を上げる場合に、全体の照度を低下させても照度のムラをなくすように制御することが望ましい。
【００２０】
照明部５は、照明制御部４によって制御された照明光を照射する。照明部５は、照明光の照明要素が調整可能な構成を有している。上述したように選択可能な視機能が視力、視野、コントラスト感度、又は、立体視である場合、照明部５は、これらの選択可能な照度、 照射範囲、色温度、又は、光の均一性が調整可能な構成を有している。すなわち、照明部５は、視機能選択部１によって選択される視機能に対応した照明要素が調整できればよい。
【００２１】
照明部５は、ＬＥＤ等の照明光を照射する光源を含む。照明部５は、複数の光源で構成されていてもよく、単一の光源で構成されていてもよい。
【００２２】
照明部５は、照度を調整する構成として、単一の光源の照度が変更可能であってもよく、駆動する光源の数が調整可能であってもよい。照明部５は、照射範囲を調整する構成として、単一の光源による照明光の広がりが調整可能であってもよく、駆動する光源の数、位置が調整可能であってもよい。照明部５は、色温度を調整する構成として、単一の光源の色温度が調整可能であってもよく、色温度が異なる照明光の組み合わせによって色温度が調整可能であってもよい。照明部５は、光の均一性を調整する構成として、単一の光源によって調整可能であってもよく、駆動する光源の数、位置によって調整可能であってもよい。
【００２３】
以上のように、この照明システムによれば、任意の視機能及び向上度合いが入力された場合に、当該任意の視機能に関連づけられた照明要素の出力量を制御して、入力された向上度合いを実現するよう照明部５を制御する。すなわち、照明システムは、文字等の読みやすさ、色の再現性、視野範囲、凹凸の認識など、見え方（視機能）の観点で入力パラメータを設定している。照明システムは、入力パラメータとしての視機能を自動的に照明要素に変換して、照明光を調整する。したがって、この照明システムによれば、ユーザごとに異なる見え方や照明の用途などに応じて、ユーザにとって物を見やすい照明光に調整できる。
【００２４】
また、この照明システムによれば、照明部５の物理的なパラメータの操作ではなく、視機能の向上度合いによって照明部５を制御できる。これにより、照明部５による見え方の変化を直感的に操作することができる。すなわち、照明システムによれば、照度や色温度といった調光パラメータや調色パラメータという照明要素の物理的パラメータをユーザに選択させるのではなく、ユーザの見え方を直感的に選択させて、照明部５を制御できる。
【００２５】
更に、この照明システムによれば、選択可能な各視機能に対して単一の照明要素を関連づけている。すなわち、照明システムによれば、視機能と照明要素とを一対一で関連づけている。これは、視力と照度、コントラスト感度と色温度、視野と照射範囲、立体視と均一性、といったように、視機能と照明要素との関係性が明確としたためである。これにより、照明システムによれば、何れかの視機能の向上度合いを変化させても、他の視機能の照明要素が変動することを抑制できる。
【００２６】
更にまた、この照明システムは、１つの視機能に対応した照明要素のみならず、２つ以上の視機能に対応した照明要素を同時に制御することができる。また、照明システムは、２つ以上の視機能をグループ化して登録しても良い。これによって、照明システムは、例えば視力と視野を向上させるため、視力に対応した照度と視野に対応した照射範囲といった照明要素を同時に向上させることができる。
【００２７】
上述した照明システムは、図３に示すように、視機能選択部１により選択された視機能とレベル入力部２で入力された向上度合いのうち、少なくとも１つを保存するパラメータ保存部（保存手段）６を備えていてもよい。パラメータ保存部６は、視機能選択部１又はレベル入力部２によって、視機能及び／又は向上度合いが選択及び入力される度に、視機能及び／又は向上度合いを記憶してもよい。また、パラメータ保存部６は、ユーザによって視機能及び／又は向上度合いを登録する操作を受け付けた場合にのみ、視機能及び／又は向上度合いを登録してもよい。
【００２８】
照明設定部３は、パラメータ保存部６により保存された視機能を入力する。照明設定部３は、入力した視機能を用いて照明要素を設定する。照明制御部４は、パラメータ保存部６により保存された向上度合いを入力し、入力した向上度合いを用いて照明要素の出力量を制御する。これにより、照明制御部４は、設定された照明要素及び当該照明要素の向上度合いに従って照明部５を駆動する。
【００２９】
以上のように、この照明システムによれば、パラメータ保存部６を備えることによってユーザにとって物を見やすい照明環境を実現するための視機能及び／又は向上度合い保存できる。これにより、照明システムは、ユーザにとって物を見やすい照明環境を瞬時に呼び出して、照明光を制御できる。
【００３０】
上述した照明システムは、図４に示すように、年齢入力部（年齢入力手段）７及び年代別調整部（調整手段）８を備えていてもよい。なお、図４にはパラメータ保存部６は図示されていないが、視機能選択部１及び／又はレベル入力部２に接続されていてもよい。
【００３１】
年齢入力部７は、ユーザの年齢を入力する。年齢入力部７は、例えばボタンやダイヤル等の操作デバイスからなる。年齢入力部７は入力された年齢を年代別調整部８に供給する。
【００３２】
年代別調整部８は、年齢入力部７によって入力された年齢が属する年代に応じて照明要素の出力量を調整する。年代別調整部８は、年齢と年代幅と照明要素の調整量の対応関係を記憶しておく。例えば、６０〜６９の年齢が入力された場合、年代別調整部８は、６０代と判断する。これにより、年代別調整部８は、入力された年齢による視機能の変化に対応するよう照明制御部４により制御される照明要素の出力量を調整する。年代別調整部８は、発育や加齢による視機能の性能を考慮して、任意に設定された割合で、各照明要素の出力量を調整する。
【００３３】
例えば高齢者は成人よりも視界が暗く感じるため、６０歳以上の年代のユーザの場合、年代別調整部８は、照明要素としての照度を２倍にする調整量を設定する。また、年代別調整部８は、年代に対して、各照明要素（照度、照射範囲、色温度、均一性）の向上度合い（２倍、３倍、０．５倍など）という調整量を任意に設定してもよい。
【００３４】
以上のように、この照明システムによれば、ユーザが直感的に視機能及び／又は向上度合いを入力すれば、年齢に応じて視機能が変動しても当該ユーザにとって物を見やすい照明環境となるよう照明要素の出力量を調整できる。
【００３５】
上述した照明システムは、図５に示すように、ユーザ設定部（ユーザ設定手段）９、ユーザ検知部（ユーザ検知手段）１０、ユーザ順位設定部（ユーザ順位設定手段）１１、ユーザ別パラメータ保存部１２を備えていてもよい。
【００３６】
ユーザ設定部９は、予め照明システムを使用するユーザを設定しておく。ユーザ設定部９は、例えばＩＤによってユーザを設定しておく。
【００３７】
ユーザ検知部１０は、ユーザ設定部９によって設定されたユーザを検知する。このユーザ検知部１０は、例えばカメラ等を使用して自動的にユーザを検知する。また、ユーザ検知部１０は、例えばボタン等の操作デバイスによってユーザを検知してもよい。ユーザ検知部１０は、ユーザを検知すると、ユーザを特定するＩＤをユーザ順位設定部１１に供給する。
【００３８】
ユーザ順位設定部１１は、ユーザ検知部１０により複数のユーザが検知された場合におけるユーザの優先順位を設定する。ユーザ順位設定部１１は、例えばユーザの操作によって予め優先順位が設定されている。ユーザ順位設定部１１は、複数のユーザのうち最も優先順位が高いメインユーザのＩＤをユーザ別パラメータ保存部１２に供給する。
【００３９】
ユーザ別パラメータ保存部１２は、上述のパラメータ保存部６と同様に、視機能及び／又は向上度合いを記憶している。ユーザ別パラメータ保存部１２は、記憶している視機能及び／又は向上度合いにユーザのＩＤを対応づけている。
【００４０】
照明設定部３は、優先順位の高いユーザに対応したユーザ別パラメータ保存部１２により保存された視機能を入力する。照明設定部３は、入力した視機能を用いて照明要素を設定する。また、照明制御部４は、優先順位の高いユーザに対応したユーザ別パラメータ保存部１２により保存された向上度合いを入力する。照明制御部４は、入力した向上度合いを用いて照明要素の出力量を制御する。
【００４１】
以上のように、この照明システムによれば、ユーザを自動検知して、そのユーザにとって物を見やすい照明環境を提供することができる。
【００４２】
更にまた、この照明システムは、図６に示すように、視機能選択部１、レベル入力部２、照明設定部３、照明制御部４を情報端末２０によって構成してもよい。この情報端末２０としては、パーソナルコンピュータやスマートフォン、携帯電話等が挙げられる。また、情報端末２０は、図示しない無線通信部を備えていてもよい。情報端末２０は、無線通信部によって、照明部５に対して制御信号を送信して、照明部５における照明要素の出力量を制御できる。この照明システムによれば、情報端末２０によって照明部５を遠隔操作することができる。
【００４３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００４４】
１  視機能選択部
２  レベル入力部
３  照明設定部
４  照明制御部
５  照明部
６  パラメータ保存部
７  年齢入力部
８  年代別調整部
９  ユーザ設定部
１０  ユーザ検知部
１１  ユーザ順位設定部
１２  ユーザ別パラメータ保存部
２０  情報端末
【図１】
2014099359.tif 000003
【図２】
2014099359.tif 000004
【図３】
2014099359.tif 000005
【図４】
2014099359.tif 000006
【図５】
2014099359.tif 000007
【図６】
2014099359.tif 000008